(57)【要約】【課題】複数の異なる質量単位で表される質量を使用性が良いように表示する複数質量単位の同時表示機能付き秤を提供する。【解決手段】質量を表示する表示器その他公知の如き各部を有して質量を測定する電子秤において、表示器が複数の異なる質量単位で表される質量を同時に表示する。これによって、質量単位の切替操作が不要となる。【選択図】図３
2005300238.tif 000002
【特許請求の範囲】
【請求項１】
質量を表示する表示器を備える秤において、前記表示器は、複数の異なる質量単位で表される質量を同時に表示することを特徴とする複数質量単位の同時表示機能付き秤。
【請求項２】
前記表示器により同時に表示される複数の異なる質量単位で表される質量における複数の異なる質量単位を示す指標を列挙し、この列挙する指標のうちのいずれかを特定する質量単位特定部を更に備え、
前記表示器は、前記質量単位特定部により特定された指標を示す質量単位で表される質量の表示を、特定されない質量単位で表される質量の表示よりも大きく行うことを特徴とする請求項１記載の複数質量単位の同時表示機能付き秤。
【請求項３】
前記質量単位特定部は、前記表示器により同時に表示される複数の異なる質量単位で表される質量における複数の異なる質量単位をスクロールすることを示す指標を更に列挙し、
前記表示器は、前記質量単位特定部によりスクロールすることを示す指標が特定された場合には、複数の異なる質量単位で表される質量の表示うちの各々の質量単位で表される質量の表示を、順繰りに、他の質量単位で表される質量の表示よりも大きく行うことを特徴とする請求項２記載の複数質量単位の同時表示機能付き秤。
【請求項４】
前記複数の異なる質量単位が、ｋｇ（キログラム）、ｌｂ（ポンド）及びｓｔ−ｌｂ（ストーン・ポンド）であることを特徴とする請求項１乃至３のうちいずれか１項に記載の複数質量単位の同時表示機能付き
【発明の詳細な説明】
【技術分野】
【０００１】
本発明は、複数の異なる質量単位で表される質量を同時に表示する複数質量単位の同時表示機能付き秤に関する。
【背景技術】
【０００２】
昨今の国際化社会においては、交通手段の発達に伴なって様々な地域（国）の人々が様々な地域（国）を行き交うことが可能となった。かかる社会においては、様々な地域の人々の各々が自分の地域で普及している単位を利用できることが便利である。自分の地域で普及している単位を利用できる便利な物の一つとして、ワンタッチ操作部の操作により二以上の通貨単位による表示に商品の値段を簡単に切替えることが可能な電子料金秤が開示されている（特許文献１参照）。
【０００３】
また、昨今の国際化社会においては、健康志向が高まり、健康を維持を図るために体重や食事の管理が行われている。そして、かかる体重を表すときや食事のカロリー計算に必要な食物の重さを表すときには、質量単位が必需となる。
【０００４】
【特許文献１】特開２０００−２５８２３１号公報
【発明の開示】
【発明が解決しようとする課題】
【０００５】
しかしながら、上述した電子料金秤は、自分の地域（国）で普及している通貨単位に切替えるのに、ワンタッチ操作部を操作しなければならず面倒であった。また、地域（国）によって、異なった質量単位が利用されている。
【０００６】
そこで、本発明は、上述した事情に鑑みて、複数の異なる質量単位で表される質量を使用性が良いように表示する複数質量単位の同時表示機能付き秤を提供することを目的とする。
【課題を解決するための手段】
【０００７】
本発明の複数質量単位の同時表示機能付き秤は、質量を表示する表示器を備える秤において、前記表示器は、複数の異なる質量単位で表される質量を同時に表示することを特徴とする。
【０００８】
また、前記表示器により同時に表示される複数の異なる質量単位で表される質量における複数の異なる質量単位を示す指標を列挙し、この列挙する指標のうちのいずれかを特定する質量単位特定部を更に備え、前記表示器は、前記質量単位特定部により特定された指標を示す質量単位で表される質量の表示を、特定されない質量単位で表される質量の表示よりも大きく行うことを特徴とする。
【０００９】
また、前記質量単位特定部は、前記表示器により同時に表示される複数の異なる質量単位で表される質量における複数の異なる質量単位をスクロールすることを示す指標を更に列挙し、前記表示器は、前記質量単位特定部によりスクロールすることを示す指標が特定された場合には、複数の異なる質量単位で表される質量の表示うちの各々の質量単位で表される質量の表示を、順繰りに、他の質量単位で表される質量の表示よりも大きく行うことを特徴とする。
【００１０】
また、前記複数の異なる質量単位が、ｋｇ（キログラム）、ｌｂ（ポンド）及びｓｔ−ｌｂ（ストーン・ポンド）であることを特徴とする。
【発明の効果】
【００１１】
本発明の複数質量単位の同時表示機能付き秤は、表示器が複数の異なる質量単位で表される質量を同時に表示するため、自分の地域で普及している質量単位への切替操作が不要といった使用性の向上を図ることができる。
【００１２】
また、質量単位特定部において、列挙する複数の異なる質量単位を示す指標のうちのいずれかを特定し、表示器において、この特定された指標を示す質量単位で表される質量の表示を、特定されない質量単位で表される質量の表示よりも大きく行うため、特定の質量単位で表される質量だけを注視することが可能となるといった使用性の向上を図ることができる。
【００１３】
また、質量単位特定部において、複数の異なる質量単位をスクロールすることを示す指標を特定し、このスクロールすることを示す指標が特定された場合に、表示器において、複数の異なる質量単位で表される質量の表示うちの各々の質量単位で表される質量の表示を、順繰りに、他の質量単位で表される質量の表示よりも大きく行うため、万人において、特定の質量単位で表される質量だけを注視することが可能となるといった使用性の向上を図ることができる。
【００１４】
また、複数の異なる質量単位が、世界中の多くで用いられているｋｇ（キログラム）、ｌｂ（ポンド）及びｓｔ−ｌｂ（ストーン・ポンド）であるので使用性の向上を図ることができる。
【発明を実施するための最良の形態】
【００１５】
本発明に係わる複数質量単位の同時表示機能付き秤は、質量を表示する表示器その他公知の如き各部を有して質量を測定する電子秤において、表示器が複数の異なる質量単位で表される質量を同時に表示するものである。
【００１６】
また、更に、表示器により同時に表示される複数の異なる質量単位で表される質量における複数の異なる質量単位を示す指標及び複数の異なる質量単位をスクロールすることを示す指標を列挙し、これら列挙する指標のうちのいずれかを特定する質量単位特定部を有し、表示器は、質量単位特定部により複数の異なる質量単位を示す指標のうちのいずれかの指標が特定された場合には、その特定された指標を示す質量単位で表される質量の表示を特定されない質量単位で表される質量の表示よりも大きく行い、また、質量単位特定部によりスクロールすることを示す指標が特定された場合には、複数の異なる質量単位で表される質量の表示うちの各々の質量単位で表される質量の表示を、順繰りに、他の質量単位で表される質量の表示よりも大きく行うものである。
【００１７】
以下、本発明に係わる複数質量単位の同時表示機能付き秤の一種である複数質量単位の同時表示機能付き体重計の実施例について具体的に説明する。
【実施例】
【００１８】
まず、図１に示す外観図、図２に示すブロック図、図３に示す表示画面図を用いて、本発明に係わる複数質量単位の同時表示機能付き体重計の具体的な構成について説明する。
【００１９】
本発明に係わる複数質量単位の同時表示機能付き体重計は、その外観（外部）を、図１に示すように、ベース１、カバー２、脚３、スタートスイッチ４、質量単位特定部５及び表示器６により構成し、その内部を、図２に示すように、電源７、電源回路８、重量センサー９、増幅回路１０、Ａ／Ｄ変換器、外部記憶装置１２、ブザー回路１３及びマイクロコンピュータ１４により構成する。
【００２０】
ベース１、カバー２、脚３、スタートスイッチ４、電源７、電源回路８、重量センサー９、増幅回路１０、Ａ／Ｄ変換器、外部記憶装置１２、ブザー回路１３及びマイクロコンピュータ１４については、公知の体重計に構成される物の働きと同様なので詳細な説明を省略する。
【００２１】
質量単位特定部５は、ｋｇ（キログラム）表記、ｌｂ（ポンド）表記、ｓｔ−ｌｂ（ストーン・ポンド）表記、ｓｃｒｏｌｌ（スクロール）表記で示される各指標が一列に列挙する指標列挙部５ｂと、この指標列挙部５ｂに一列に列挙する各指標のうちのいずれかを特定する切替スイッチ５ａとから成る。
【００２２】
表示器６は、図３に示すように、表示画面が三区分され、そのうちの一区分が他の二区分よりも大きい。そして、質量単位特定部５により特定された指標に即した表示を行う。例えば、質量単位特定部５により複数の異なる質量単位（ｋｇ、ｌｂ、ｓｔ−ｌｂ）を示す指標のうちのいずれかの指標（例えば、ｋｇ）が特定された場合には、その特定された指標を示す質量単位（ｋｇ）で表される質量を大きな区分に表示し、特定されない質量単位（ｌｂ、ｓｔ−ｌｂ）で表される質量を他の区分に表示する。また、質量単位特定部５によりスクロールすることを示す指標（ｓｃｒｏｌｌ）が特定された場合には、次のような表示を順繰りに行う。まず、一の質量単位（例えば、ｋｇ）で表される質量を大きな区分に表示するとともに、他の質量単位（ｌｂ、ｓｔ−ｌｂ）で表される質量を他の区分に表示する。続いて、一の質量単位（例えば、ｌｂ）で表される質量を大きな区分に表示するとともに、他の質量単位（ｓｔ−ｌｂ、ｋｇ）で表される質量を他の区分に表示する。続いて、一の質量単位（例えば、ｓｔ−ｌｂ）で表される質量を大きな区分に表示するとともに、他の質量単位（ｋｇ、ｌｂ）で表される質量を他の区分に表示する。
【００２３】
なお、マイクロコンピュータ１４は、ＣＰＵ、ＲＯＭ、ＲＡＭ、タイマー、ＩＯポート等を備え、重量センサー９からの検出信号に基づいて、一の質量単位で表される質量を演算し、この演算した一の質量単位から他の質量単位に換算するが、次のような関係に基づいて行う。
１ｌｂ＝１４ｌｂ＝０.４５３５９ｋｇ    ・・・  （ｉ）
１ｓｔ＝６.３５ｋｇ                    ・・・  （ii）
【００２４】
次に、図４に示すフローチャート図を用いて、上述した構成を有する複数質量単位の同時表示機能付き体重計の動作について説明する。
【００２５】
初めに、スタートスイッチ４が押されると、電源７から電源回路８を経て各電気系統各部に電力を供給し（ステップＳ１）、マイクロコンピュータ１４において、切替スイッチ５ａが特定している指標列挙部５ｂに列挙する各指標のうちのいずれかの指標（例えば、ｋｇ）を認識する（ステップＳ２）。
【００２６】
続いて、重量センサー９により被測定者がカバー２に乗っていないときの信号、すなわち、零点信号（アナログ）を検出し、この検出した零点信号を増幅回路１０により増幅し、この増幅した零点信号をＡ／Ｄ変換回路１１によりデジタル変換する（ステップＳ３）。
【００２７】
続いて、マイクロコンピュータ１４において、このデジタル変換された零点信号時を零値表示と定めて、表示器（表示画面）６の三区分のそれぞれに零値を表示するように制御する。また、この際、切替スイッチ５ａにより特定されている指標を示す質量単位（ｋｇ）で表される質量を表示器（表示画面）６の大きな区分（上段）に表示するとともに、切替スイッチにより特定されない指標を示す質量単位（ｌｂ、ｓｔ−ｌｂ）で表される質量を他の区分（中段、下段）に表示するように制御する。そして、表示器６は、マイクロコンピュータ１４からの制御に応じた表示を行う（ステップＳ４）。
【００２８】
続いて、マイクロコンピュータ１４において、切替スイッチ５ａが切替えられて現在特定している指標（ｋｇ）が変更されたか否かを判断する（ステップＳ５）。指標（ｋｇ）が変更（例えば、ｌｂ）された場合（ステップＳ５で“有り”）には、変更された指標を示す質量単位（ｌｂ）で表される質量を表示器（表示画面）６の大きな区分（上段）に表示するとともに、他の指標を示す質量単位（ｓｔ−ｌｂ、ｋｇ）で表される質量の表示を他の区分（中段、下段）に表示するように制御し、表示器６において、マイクロコンピュータ１４からの制御に応じた表示を行う。一方、指標（ｋｇ）が変更されない場合（ステップＳ５で“無し”）には、マイクロコンピュータ１４内部のタイマーによる計時に基づいて、重量センサー９からの信号変化の無い状態（被測定者がカバー２に乗らない状態）が一定時間続いたか否かを判断する（ステップＳ６）。
【００２９】
続いて、信号変化の無い状態が一定時間続いている場合（ステップＳ６で“ＹＥＳ”）には、電源７からの電各電気系統各部への電力を供給が停止し、表示器（表示画面）６の表示が消え、本体重計の動作が終了する。一方、信号変化の無い状態が一定時間続いていない場合（被測定者がカバー２に乗った場合）（ステップＳ６で“ＮＯ”）には、マイクロコンピュータ１４において重量センサー９からの信号変化量を取り込む（ステップＳ７）。
【００３０】
続いて、マイクロコンピュータ１４では、この重量センサー９からの信号変化量に基づいて、一の質量単位（例えば、ｋｇ）で表される質量を求め、この演算結果を換算することによって、他の質量単位（ｌｂ、ｓｔ−ｌｂ）で表される質量も求める（ステップＳ８）。
【００３１】
続いて、マイクロコンピュータ１４において、この求めた各質量単位で表される質量を、表示器（表示画面）６の三区分のそれぞれに表示するように制御する。また、この際、切替スイッチ５ａにより特定されている指標を示す質量単位（ｋｇ）で表される質量を表示器（表示画面）６の大きな区分（上段）に表示するとともに、切替スイッチ５ａにより特定されない指標を示す質量単位（ｌｂ、ｓｔ−ｌｂ）で表される質量を他の区分（中段、下段）に表示するように制御する。そして、表示器６は、マイクロコンピュータ１４からの制御に応じた表示を行う（ステップＳ９）。
【００３２】
続いて、マイクロコンピュータ１４において、切替スイッチ５ａが切替えられて現在特定している指標（ｋｇ）が変更されたか否かを判断する（ステップＳ１０）。指標（ｋｇ）が変更（例えば、ｌｂ）された場合（ステップＳ１０で“有り”）には、変更された指標を示す質量単位（ｌｂ）で表される質量を表示器（表示画面）６の大きな区分（上段）に表示するとともに、他の指標を示す質量単位（ｓｔ−ｌｂ、ｋｇ）で表される質量を他の区分（中段、下段）に表示するように制御し、表示器６において、マイクロコンピュータ１４からの制御に応じた表示を行う。一方、指標（ｋｇ）が変更されない場合（ステップＳ１０で“無し”）には、重量センサー９からの零点信号（被測定者がカバー２から降りた状態の信号）が取り込まれたか否かを判断する（ステップＳ１１）。
【００３３】
続いて、零点信号が取り込まれない場合（ステップＳ１１で“ＮＯ”）には、マイクロコンピュータ１４内部のタイマーによる計時に基づいて、重量センサー９からの信号変化の有る状態が一定時間続いたか否かを判断する（ステップＳ１２）。一方、零点信号が取り込まれた場合（ステップＳ１１で“ＹＥＳ”）には、マイクロコンピュータ１４において、表示器（表示画面）６の三区分のそれぞれに零値を表示するように制御する。この際、切替スイッチにより特定されている指標を示す質量単位（ｋｇ）で表される質量を表示器（表示画面）６の大きな区分（上段）に表示するとともに、切替スイッチ５ａにより特定されない指標を示す質量単位（ｌｂ、ｓｔ−ｌｂ）で表される質量を他の区分（中段、下段）に表示するように制御する。そして、表示器６は、マイクロコンピュータ１４からの制御に応じた表示を行う（ステップＳ１３）。
【００３４】
ステップＳ１２から続いて、信号変化の有る状態が一定時間続いている場合（ステップＳ１２で“ＹＥＳ”）には、電源７からの電各電気系統各部への電力を供給が停止し、表示器（表示画面）６の表示が消え、装置の動作が終了する。一方、信号変化の有る状態が一定時間続いていない場合（ステップＳ１２で“ＮＯ”）には、表示器６において、継続した表示を行う（ステップＳ９）。
【００３５】
ステップＳ１３から続いて、マイクロコンピュータ１４内部のタイマーによる計時に基づいて、重量センサー９からの信号変化の無い状態（被測定者がカバー２に降りた状態）が一定時間続いたか否かを判断する（ステップＳ１４）。重量センサー９からの信号変化の無い状態が一定時間続いていない場合（ステップＳ１４で“ＮＯ”）には、表示器６において、継続した表示を行う（ステップＳ１３）。一方、重量センサー９からの信号変化の無い状態が一定時間続いている場合（ステップＳ１４で“ＹＥＳ”）には、電源７からの電各電気系統各部への電力を供給が停止し、表示器（表示画面）６の表示が消え、本体重計の動作が終了する（ステップＳ１５）。
【００３６】
なお、上述した実施例においては、質量単位特定部５は、図１に示されるように、ｋｇ（キログラム）表記、ｌｂ（ポンド）表記、ｓｔ−ｌｂ（ストーン・ポンド）表記、ｓｃｒｏｌｌ（スクロール）表記で示される各指標が一列に列挙する指標列挙部５ｂと、この指標列挙部５ｂに一列に列挙する各指標のうちのいずれかを直線的にスライドして特定する切替スイッチ５ａとから成るものであったが、図５に示されるように、ｋｇ（キログラム）表記、ｌｂ（ポンド）表記、ｓｔ−ｌｂ（ストーン・ポンド）表記、ｓｃｒｏｌｌ（スクロール）表記で示される各指標が半円周状に列挙する指標列挙部２１ｂと、この指標列挙部２１ｂに半円周状に列挙する各指標のうちのいずれかを、回転して特定する切替スイッチ２１ａとから成るものであったり、図６に示されるように、押動して特定する各切替スイッチ２２ａ上に、ｋｇ（キログラム）、ｌｂ（ポンド）、ｓｔ−ｌｂ（ストーン・ポンド）、ｓｃｒｏｌｌ（スクロール）を表記２２ｂして成るものであったりしてもよい。図６の場合には、押動されている切替スイッチ２２ａに位置するＬＥＤが点滅する。
【００３７】
また、上述した実施例においては、表示器（表示画面）６は、図３に示されるように、３段（上段、中段、下段）で区分されるものであったが、図７に示されるように、２段（上段、左下段、右下段）で区分されるといったようなものでもよい。
【００３８】
また、上述した実施例においては、表示器（表示画面）６において、一つの区分を大きくしたがすべて同じ大きさとし、質量単位特定部５を除いた構成としても実施可能である。
【図面の簡単な説明】
【００３９】
【図１】本発明に係わる複数質量単位の同時表示機能付き体重計（秤）の外観構成を示す外観図であり、（ａ）が正面図、（ｂ）が側面図である。
【図２】図１の体重計（秤）の全体構成を示すブロック図である。
【図３】図１の体重計（秤）の表示状態を示す表示画面図である。
【図４】図１の体重計（秤）の動作の手順を示すフローチャート図である。
【図５】別態様の外観図であり、（ａ）が正面図、（ｂ）が側面図である。
【図６】別態様の外観図であり、（ａ）が正面図、（ｂ）が側面図である。
【図７】別態様の表示画面図である。
【符号の説明】
【００４０】
１  ベース
２  カバー
３  脚
４  スタートスイッチ
５、２１、２２  質量単位特定部
６  表示器
７  電源
８  電源回路
９  重量センサー
１０  増幅回路
１１  Ａ／Ｄ変換回路
１２  外部記憶装置
１３  ブザー回路
１４  マイクロコンピュータ
【図１】
2005300238.tif 000003
【図２】
2005300238.tif 000004
【図３】
2005300238.tif 000005
【図４】
2005300238.tif 000006
【図５】
2005300238.tif 000007
【図６】
2005300238.tif 000008
【図７】
2005300238.tif 000009